(57)【要約】【課題】着用者の熱中症の発症を予防することができると共に、着用者の作業環境を快適にすることができる防護服を提供する。【解決手段】防護服１は、着用者１０の頭部１１、胴部１２、腕部１３及び脚部１４の全体を密閉するように被覆する本体部２と、本体部２の内外を連通可能に貫通する貫通孔３と、貫通孔３に装着され、本体部２の外側Ｅから空気Ａを吸入し、本体部２の内側Ｉに空気Ａを吐出するワンタッチジョイント４とを備え、このワンタッチジョイント４の外側部分には、空気Ａを吸入する吸入管５が接続され、ワンタッチジョイント４の内側部分には、空気Ａを吐出する吐出管が接続されている。【選択図】図１
2017210696.tif 000002
【特許請求の範囲】
【請求項１】
着用者の頭部、胴部、腕部及び脚部の全体を密閉するように被覆する本体部と、
前記本体部の内外を連通可能に貫通する貫通孔と、
前記貫通孔に設けられ、前記本体部の外側から空気を吸入し、前記本体部の内側に前記空気を吐出する接続部と、を備えてなる防護服。
【請求項２】
前記接続部の前記空気を吸入する側には、一端部が前記空気を圧縮して供給するエアコンプレッサに接続される吸入管の他端部が接続可能である請求項１に記載の防護服。
【請求項３】
前記接続部の前記空気を吐出する側には、前記空気を前記本体部の内側に吐出する吐出管が接続可能である請求項１又は２に記載の防護服。
【請求項４】
前記接続部は、
前記貫通孔に設けられ、両端部が前記本体部の外側及び内側に突出する筒状部と、
前記筒状部の両端部にそれぞれ開口してなる開口部と、を有し、
前記筒状部に設けられ、前記本体部の外側面及び／又は前記本体部の内側面に固定される補強板をさらに備えてなる請求項１〜３のいずれか１項に記載の防護服。
【請求項５】
前記本体部に設けられ、前記本体部の内側に吐出された前記空気を外側へ排出する排出部をさらに備えてなる請求項１〜４のいずれか１項に記載の防護服。
【発明の詳細な説明】
【技術分野】
【０００１】
本発明は、ダイオキシン、アスベスト等の有害汚染物質に曝露する作業現場で使用される防護服に関する。
【背景技術】
【０００２】
従来の防護服は、主に、ダイオキシンが吐出される廃棄物焼却施設、アスベストの除去作業現場、アスベストを含有する建物の解体作業現場等で作業する作業者等の着用者が、ダイオキシン、アスベスト等の有害汚染物質に曝露しないようにするために着用するものである。この種の防護服は、例えば、着用者の頭部、胴部、腕部及び脚部の全体を密閉するように被覆するものが知られている（特許文献１参照）。
【先行技術文献】
【特許文献】
【０００３】
【特許文献１】実開平２−１３２６１１号公報
【発明の概要】
【発明が解決しようとする課題】
【０００４】
しかしながら、上記のような防護服は、着用者の頭部、胴部、腕部及び脚部の全体を密閉するように被覆するため、特に、夏季等の暑熱環境下において着用者が長時間の作業を行うと、防護服の内側が長時間にわたって高温状態となり、もって、着用者が熱中症を発症し、着用者の作業環境が悪化するといった問題があった。
【０００５】
そこで、本発明は、上述の問題に鑑み、着用者の熱中症の発症を予防することができると共に、着用者の作業環境を快適にすることができる防護服を提供することを目的としている。
【課題を解決するための手段】
【０００６】
上記目的を達成するための手段を図面の参照符号を付して示せば、請求項１の発明に係る防護服１は、着用者１０の頭部１１、胴部１２、腕部１３及び脚部１４の全体を密閉するように被覆する本体部２と、前記本体部２の内外を連通可能に貫通する貫通孔３と、前記貫通孔３に設けられ、前記本体部２の外側Ｅから空気Ａを吸入し、前記本体部２の内側Ｉに前記空気Ａを吐出する接続部（ワンタッチジョイント４）と、を備えてなることを特徴としている。
【０００７】
請求項２の発明は、上記請求項１に記載の防護服１において、前記接続部（ワンタッチジョイント４）の前記空気Ａを吸入する側には、一端部５ａが前記空気Ａを圧縮して供給するエアコンプレッサＣに接続される吸入管５の他端部５ｂが接続可能であることを特徴としている。
【０００８】
請求項３の発明は、上記請求項１又は２に記載の防護服１において、前記接続部（ワンタッチジョイント４）の前記空気Ａを吐出する側には、前記空気Ａを前記本体部２の内側Ｉに吐出する吐出管６が接続可能であることを特徴としている。
【０００９】
請求項４の発明は、上記請求項１〜３のいずれか１項に記載の防護服１において、前記接続部（ワンタッチジョイント４）は、前記貫通孔３に設けられ、両端部が前記本体部２の外側Ｅ及び内側Ｉに突出する筒状部４ａと、前記筒状部４ａの両端部にそれぞれ開口してなる開口部（外側開口部４ｂ及び内側開口部４ｃ）と、を有し、前記筒状部４ａに設けられ、前記本体部２の外側面２ａ及び／又は前記本体部２の内側面２ｂに固定される補強板（外側補強板８ａ，内側補強板８ｂ）をさらに備えてなることを特徴としている。
【００１０】
請求項５の発明は、上記請求項１〜４のいずれか１項に記載の防護服１において、前記本体部２に設けられ、前記本体部２の内側Ｉに吐出された前記空気Ａを外側へ排出する排出部７をさらに備えてなることを特徴としている。
【発明の効果】
【００１１】
以下に、本発明の効果について、図面の参照符号を付して説明する。請求項１の発明に係る防護服１によれば、接続部（ワンタッチジョイント４）が、本体部２の外側Ｅから空気Ａ（外気）を吸入し、本体部２の内側Ｉに空気Ａを吐出するから、本体部２の外側Ｅから吸入された空気Ａによって本体部２の内側Ｉが冷却されることとなる。これにより、暑熱環境下において着用者１０が長時間の作業を行っても、本体部２の内側Ｉの高温状態が解消され、もって、着用者１０の熱中症の発症を予防することができると共に、着用者１０の作業環境を快適にすることができる。
【００１２】
請求項２の発明によれば、接続部（ワンタッチジョイント４）の空気Ａを吸入する側に、一端部５ａがエアコンプレッサＣに接続される吸入管５の他端部５ｂが接続可能であるから、エアコンプレッサＣ及び吸入管５により空気Ａを圧縮移送することによって、空気Ａを接続部（ワンタッチジョイント４）に容易に吸入させることができる。
【００１３】
請求項３の発明によれば、接続部（ワンタッチジョイント４）の空気Ａを吐出する側には、空気Ａを本体部２の内側Ｉに吐出する吐出管６が接続可能であるから、その吐出管６によって、本体部２の内側Ｉ全体に空気Ａを吐出することができ、もって、本体部２の内側Ｉの冷却効果を向上させることができる。
【００１４】
請求項４の発明によれば、筒状部４ａに設けられ、本体部２の外側面２ａ及び／又は本体部２の内側面２ｂに固定される補強板（外側補強板８ａ、内側補強板８ｂ）をさらに備えるから、補強板（外側補強板８ａ、内側補強板８ｂ）により筒状部４ａの径方向への移動が規制されることによって、接続部（ワンタッチジョイント４）の重み等によって本体部２が破損してしまう事態を低減させることができる。
【００１５】
請求項５の発明によれば、本体部２の内側Ｉに吐出された前記空気Ａを外側へ排出する排出部７を本体部２に設けられているから、
【図面の簡単な説明】
【００１６】
【図１】本発明の一実施形態に係る防護服の使用状態を例示する正面側から見た斜視図である。
【図２】同実施形態に係る防護服の使用状態を例示する背面側から見た斜視図である。
【図３】同実施形態に係る防護服の使用状態における空気の流れを例示する正面側から見た斜視図である。
【図４】同実施形態に係る防護服の接続部周辺を示す背面図である。
【図５】同実施形態に係る防護服の接続部周辺を示す側面断面図である。
【図６】同実施形態に係る防護服の開閉部を開いた状態の接続部周辺を示す正面図である。
【図７】同実施形態に係る防護服の開閉部を開いた状態を示す正面図である。
【図８】同実施形態に係る防護服の開閉部を開いた状態の吐出管の全体を示す正面図である。
【図９】同実施形態に係る防護服の開閉部を開いた状態の吐出管の左上取付部を示す拡大正面図である。
【図１０】同実施形態に係る防護服の開閉部を開いた状態の吐出管の中央取付部を示す拡大正面図である。
【図１１】同実施形態に係る排出部の側面断面図である。
【発明を実施するための形態】
【００１７】
以下に、本発明に係る防護服の一実施形態について、図面を参照して具体的に説明する。なお、以下の説明において、上下左右の方向を示す場合は、図示正面から見た場合の上下左右をいうものとする。
【００１８】
図１〜図３に示すように、防護服１は、主に、ダイオキシンが吐出される廃棄物焼却施設、アスベストの除去作業現場、アスベストを含有する建物の解体作業現場等で作業する作業者等の着用者１０が、ダイオキシン、アスベスト等の有害汚染物質に曝露しないようにするために着用するものであって、着用者１０の頭部１１、胴部１２、腕部１３及び脚部１４の全体を密閉するように被覆する全身化学防護服である。防護服１は、例えば、ＪＩＳ（日本工業規格）  Ｔ８１１５（化学防護服）のタイプ５に準拠した密閉服であって、具体的には、浮遊固体粉塵（微粒子）防護用の密閉服である。なお、防護服１は、使い捨てタイプのものである。
【００１９】
より具体的に説明すると、防護服１は、図１〜図３に示すように、着用者１０の頭部１１、胴部１２、腕部１３及び脚部１４の全体を密閉するように被覆する本体部２と、本体部２の内外を連通可能に貫通する貫通孔３と、貫通孔３に装着され、本体部２の外側Ｅから空気Ａを吸入し、本体部２の内側Ｉに空気Ａを吐出するワンタッチジョイント４と、一端部５ａがエアコンプレッサＣに接続され、他端部５ｂが本体部２の外側Ｅのワンタッチジョイント４に接続される吸入管５と、一端部６ｂが本体部２の内側Ｉのワンタッチジョイント４に接続され、空気Ａを本体部２の内側Ｉに吐出する吐出管６と、本体部２の内側Ｉに吐出した空気Ａを外側Ｅに排出する排出部７と、を備えている。なお、エアコンプレッサＣは、図１〜３に示すように、本体部２の外側Ｅに設けられ、空気Ａを圧縮して供給するポータブル式の小型の圧縮機である。
【００２０】
本体部２は、ＪＩＳ  Ｔ８１１５のタイプ５に準拠した防塵性（耐浮遊固体粉塵浸透性）を有する高密度ポリエチレン（ＨＤＰＥ）等の化学繊維からなる伸縮性のある不織布（例えば、タイベック（登録商標）等のバリア性、耐水性、通気性、透湿性等を有する不織布）により形成され、図１及び図２に示すように、着用者１０の頭部１１の後部を被覆すると共に、着用時において顔面１１ａが露出する開口部２１ａが形成されているフード２１と、胴部１２の前部（胸部１２ａ及び腹部１２ｂの部分）を被覆する前身頃２２と、胴部１２の後部（背部１２ｃの部分）を被覆する後見頃２３と、腕部１３を被覆する袖２４と、脚部１４を被覆する裾２５と、ファスナ２６ａ（図７参照）を上下方向に移動することにより前身頃２２の中央部を左右方向に開閉可能な開閉部２６と、を有している。なお、フード２１、前身頃２２、後見頃２３、袖２４、裾２５及び開閉部２６は、縫製により一体的に連結される繋ぎ形状である。また、本体部２の各部を連結する縫製部分の外側面２ａには、図１及び図２に示すように、本体部２の密閉性を維持するために、図示しない縫い目を閉塞するようにシームテープ９ａ（目止めテープ、シーリングテープ）が熱圧着により貼着されている。なお、図１及び図２に示す符号３１は、マスク、符号３２は、ゴーグル、符号３３は、手袋、符号３４は、足袋である。
【００２１】
貫通孔３は、図２、図４〜図６に示すように、本体部２の後見頃２３の内外を連通可能に貫通する円形状の孔であって、着用者１０の背部１２ｃの右下部分（図２参照）に配置され、ワンタッチジョイント４が挿通固定できるようになっている。
【００２２】
このワンタッチジョイント４は、図２、図４〜図６に示すように、本体部２の外側Ｅ及び内側Ｉにおいてそれぞれ吸入管５の他端部５ｂ及び吐出管６の一端部６ｂをワンタッチ操作により着脱自在に接続するストレート形状のワンタッチ継手である。より詳しく説明すると、このワンタッチジョイント４は、図４〜図６に示すように、貫通孔３に装着され、両端部が本体部２の外側Ｅ及び内側Ｉに突出する筒状部４ａと、吸入管５の他端部５ｂが挿入接続される筒状部４ａの一端部に開口されている外側開口部４ｂと、吐出管６の一端部６ｂが挿入接続される筒状部４ａの他端部に開口されている内側開口部４ｃと、を有している。筒状部４ａは、図５に示すように、円筒状の金属管であって、装着方向（図５の上下方向）の中央部に形成される小径部４ｄと、小径部４ｄの両端部に一体形成されている外側大径部４ｅ１及び内側大径部４ｅ２と、を有している。小径部４ｄの外径は、外側大径部４ｅ１及び内側大径部４ｅ２の外径よりも径小で、貫通孔３の内径と同一であって、外側大径部４ｅ１及び内側大径部４ｅ２の外径は、貫通孔３の内径よりも径大で、外側大径部４ｅ１の外径は、内側大径部４ｅ２の外径と同一である。
【００２３】
さらに、このワンタッチジョイント４は、図５に示すように、外側開口部４ｂ及び内側開口部４ｃにそれぞれ設けられ下方向及び上方向に押圧操作可能な操作部４ｆと、筒状部４ａの内周部に設けられ、吸入管５の他端部５ｂ及び吐出管６の一端部６ｂを係止するとともに、操作部４ｆの押圧操作により吸入管５の他端部５ｂ及び吐出管６の一端部６ｂの係止を解除することができる係止爪４ｇと、筒状部４ａの内周部に設けられ、吸入管５の他端部５ｂ及び吐出管６の一端部６ｂに接触して筒状部４ａの内周部と吸入管５の他端部５ｂ及び吐出管６の一端部６ｂとの間の隙間をシールする弾性樹脂製のシール部材４ｈと、を有している。操作部４ｆは、吸入管５の他端部５ｂ及び吐出管６の一端部６ｂを挿通可能な外側開口部４ｆ１及び内側開口部４ｆ２を有する円筒状部材であって、外側開口部４ｂ及び内側開口部４ｃから上方及び下方に突出する部分は、押圧操作を容易とするために、大径円板形状をなしている。係止爪４ｇは、図５に示すように、筒状部４ａの内周部に突出する金属製の板ばねであって、吸入管５の他端部５ｂ及び吐出管６の一端部６ｂが筒状部４ａの内周部に挿入されると、係止爪４ｇが吸入管５の他端部５ｂ及び吐出管６の一端部６ｂを係止し、操作部４ｆが押圧操作されると、係止爪４ｇが吸入管５の他端部５ｂ及び吐出管６の一端部６ｂから退避して当該係止を解除するロック部材である。しかして、このように、吸入管５の他端部５ｂ及び吐出管６の一端部６ｂを筒状部４ａの内周部に挿入すれば、係止爪４ｇによって、当該吸入管５の他端部５ｂ及び吐出管６の一端部６ｂが筒状部４ａの内周部に係止固定され、操作部４ｆを押圧操作すれば、係止爪４ｇが退避して上記係止固定が解除され、もって、筒状部４ａの内周部より当該吸入管５の他端部５ｂ及び吐出管６の一端部６ｂを抜出することができる。これにより、吸入管５及び吐出管６を、ワンタッチジョイント４に対し、容易に着脱することができる。
【００２４】
かくして、このように形成されるワンタッチジョイント４を貫通孔３に挿通固定するにあたっては、貫通孔３を有する本体部２が、伸縮性があることから、当該貫通孔３に内側大径部４ｅ２及び小径部４ｄを挿通することにより固定することができる。
【００２５】
しかしながら、貫通孔３にワンタッチジョイント４を挿通固定しただけでは、ワンタッチジョイント４の重み等により本体部２が破損する可能性がある。そこで、本実施形態においては、図４〜図６に示すように、本体部２の外側面２ａに縫い付けられる補強布２ｃと、図２、図４〜図７に示すように、補強布２ｃの外側面２ｃ２（図５参照）及び本体部２の内側面２ｂに固定される外側補強板８ａ及び内側補強板８ｂとを設けている。
【００２６】
補強布２ｃは、図２、図４、図５に示すように、中央部に円形の貫通孔２ｃ１（図５参照）を有する矩形（本実施形態では、正方形）の伸縮性のある不織布（例えば、本体部２と同一の不織布）であって、外縁部が本体部２の外側面２ａに縫製により一体的に連結されているものである。貫通孔２ｃ１の内径は、図５に示すように、貫通孔３の内径と同一であって、貫通孔２ｃ１と貫通孔３とが連通するように、当該補強布２ｃが本体部２の外側面２ａに縫い付けられている。これにより、本体部２の外側面２ａを補強することができ、もって、外側補強板８ａの固定を強固にすることができる。なお、補強布２ｃを本体部２に連結する縫製部分の外側面２ａ及び外側面２ｃ２には、図４及び図５に示すように、本体部２の密閉性を維持するため、縫い目２ｄ及び縫い代２ｅを閉塞するようにシームテープ９ｃが矩形枠状となるように熱圧着により貼着されている。
【００２７】
外側補強板８ａ及び内側補強板８ｂは、図４〜図６に示すように、中央部に円形の貫通孔８ａ１，８ｂ１（図５参照）を有する伸縮性のある合成ゴム製の円板部材（ゴムシート）であって、筒状部４ａの小径部４ｄに装着され、補強布２ｃの外側面２ｃ２及び本体部２の内側面２ｂに接着固定されている。貫通孔８ａ１，８ｂ１の内径は、図５に示すように、貫通孔３の内径と同一であって、外側大径部４ｅ１及び内側大径部４ｅ２の外径よりも径小で、小径部４ｄの外径と同一である。
【００２８】
かくして、このように形成される外側補強板８ａ及び内側補強板８ｂは、伸縮性のある合成ゴムにより形成されているから、筒状部４ａの外側大径部４ｅ１及び内側大径部４ｅ２、小径部４ｄに、外側補強板８ａ及び内側補強板８ｂの貫通孔８ａ１，８ｂ１を挿通することにより、小径部４ｄに外側補強板８ａ及び内側補強板８ｂを固定することができる。これにより、外側補強板８ａ及び内側補強板８ｂによって、筒状部４ａの小径部４ｄの径方向への移動が規制されることとなり、もって、ワンタッチジョイント４の重み等により、本体部２が破損してしまう事態を低減させることができる。なお、ワンタッチジョイント４を貫通孔３に挿通固定させた際、筒状部４ａの小径部４ｄは、本体部２の外側Ｅから内側Ｉに向けて、外側補強板８ａの貫通孔８ａ１、補強布２ｃの貫通孔２ｃ１、本体部２の貫通孔３及び内側補強板８ｂの貫通孔８ｂ１の順になるように固定されることとなる。
【００２９】
ところで、筒状部４ａの小径部４ｄは、図５に示すように、外側大径部４ｅ１及び内側大径部４ｅ２との境界部分において、外側大径部４ｅ１及び内側大径部４ｅ２に向けて徐々に拡径する拡径小径部４ｄ１を有している。拡径小径部４ｄ１は、外側補強板８ａの外側及び内側補強板８ｂの内側に位置しており、拡径小径部４ｄ１と外側補強板８ａ及び内側補強板８ｂとの間には、隙間８ａ２，８ｂ２が生成され、隙間８ａ２，８ｂ２には、接着剤８ｃが封止されている。これにより、本体部２の密閉性を維持することができ、もって、着用者１０の有害汚染物質の曝露を低減させることができる。
【００３０】
吸入管５は、図１及び図２に示すように、エアコンプレッサＣと本体部２の外側Ｅのワンタッチジョイント４とを接続するエアチューブ（エアホース）であって、例えば、ポリウレタン（ＰＵ）等の硬質樹脂からなるものである。より具体的に説明すると、この吸入管５は、管状に形成され、一端部５ａがエアコンプレッサＣの供給口Ｃａに接続され、他端部５ｂが、本体部２の外側Ｅのワンタッチジョイント４の筒状部４ａの内周部に接続されるものである。これにより、エアコンプレッサＣ及び吸入管５により空気Ａを移送させることができ、もって、空気Ａをワンタッチジョイント４に容易に吸入させることができる。
【００３１】
吐出管６は、図３，図７，図８に示すように、本体部２の内側Ｉのワンタッチジョイント４に接続され、空気Ａを本体部２の内側Ｉに吐出するエアチューブであって、例えば、軟質ポリ塩化ビニル（軟質ＰＶＣ）等の軟質樹脂からなる可撓性を有するものである。より具体的に説明すると、この吐出管６は、図８に示すように、管状部６ａと、管状部６ａの一端に設けられ本体部２の内側Ｉのワンタッチジョイント４の筒状部４ａの内周部に接続される一端部６ｂと、管状部６ａの他端に設けられる他端部６ｃと、管状部６ａの管壁を貫通して空気Ａを本体部２の内側Ｉに吐出する複数の吐出孔６ｄと、一端部６ｂ側の管状部６ａが上方に向けて延びるように配置されるとともに、他端部６ｃ側の管状部６ａが正面視で横向き右回りの８字形状となるように湾曲して配置されるように案内して本体部２の内側面２ｂに取り付けるために管状部６ａが挿通される複数（本実施形態では、７箇所）の布ループ６ｅと、を有している。管状部６ａは、図７に示すように、本体部２の後見頃２３の内側面２ｂに取り付けられるものであって、着用者１０の背部１２ｃに面する位置に配置される。一端部６ｂ側の管状部６ａは、着用者１０の背部１２ｃの左下部分から上方に向けて延びるように配置され、他端部６ｃ側の管状部６ａは、着用者１０の背部１２ｃの上部（肩甲骨付近の背中部分）において横向き右回りの８字形状となるように湾曲して配置される。他端部６ｃ側の管状部６ａは、図８に示すように、左上部分から右下部分に向けて逆Ｓ字形状となるように湾曲し、さらに右下部分から左上部分に向けて逆Ｓ字形状となるように湾曲している。これにより、他端部６ｃ側の管状部６ａが正面視で横向き右回りの８字形状となるように湾曲して配置されることとなる。
【００３２】
複数の布ループ６ｅは、図８に示すように、横向きの８字形状をなす２個の円形部分の各円形部分の上下左右の位置に１箇所ずつ配置される。ただし、２個の円形部分の交差位置（左側円形部分の右位置及び右側円形部分の左位置）に配置される布ループ６ｅは、１箇所のみ配置される。なお、これら布ループ６ｅには、管状部６ａが、左側円形部分の左位置、左側円形部分の上位置、２個の円形部分の交差位置、右側円形部分の下位置、右側円形部分の右位置、右側円形部分の上位置、２個の円形部分の交差位置、左側円形部分の下位置及び左側円形部分の左位置の順となるように挿通されている。
【００３３】
ところで、この複数の布ループ６ｅは、左側円形部分の上位置及び２個の円形部分の交差位置の布ループ６ｅを図９及び図１０に拡大して示すように、他端部６ｃ側の管状部６ａを挿通可能なループ（輪）が生成されるように、矩形状の布を本体部２の内側面２ｂに縫製により一体的に連結するものである。左側円形部分の上位置の布ループ６ｅでは、１本の他端部６ｃ側の管状部６ａを挿通可能なループが生成され、２個の円形部分の交差位置の布ループ６ｅでは、２本の他端部６ｃ側の管状部６ａを挿通可能なループが生成される。そして、複数の布ループ６ｅを本体部２に連結する縫製部分の外側面２ａには、図２、図９及び図１０に示すように、本体部２の密閉性を維持することができるように、縫い目６ｆを閉塞するようにシームテープ９ｂが熱圧着により貼着されている。なお、左側円形部分の上位置の布ループ６ｅには、図９に示すように、２本の縫い目６ｆを閉塞する１枚のシームテープ９ｂが貼着され、２個の円形部分の交差位置の布ループ６ｅには、図１０に示すように、２本の縫い目６ｆをそれぞれ閉塞する２枚のシームテープ９ｂが貼着される。
【００３４】
複数の吐出孔６ｄは、図８に示すように、管状部６ａの管壁を貫通して空気Ａを本体部２の内側Ｉに吐出する丸穴であって、管状部６ａの延出方向の全体にわたって等配されるものである。なお、他端部６ｃは、折り曲げ接着されて閉塞されており、もって、空気Ａは、複数の吐出孔６ｄのみから吐出されることとなる。
【００３５】
他方、排出部７は、図１１に示すように、本体部２の外側面２ａに接着剤Ｓを介して取り付けられ、本体部２の内側Ｉに吐出された空気Ａを外側Ｅに排出することができるものである。より具体的に説明すると、排出部７は、下面が開放され上面が閉止されている断面略コ字状で中空状の上蓋７ａと、この上蓋７ａに嵌合可能な上下面が開放されている断面Ｌ字形で中空状の下蓋７ｂと、この下蓋７ｂと一体形成されている断面逆Ｔ字形の固定台７ｃと、この固定台７ｃに固定される排気弁７ｄと、を有している。この上蓋７ａは、下面両端部より外方向に向って突出部７ａ１が突設されており、この突出部７ａ１の上方に位置する側壁面７ａ２には、内外壁面を左右方向に貫通する貫通孔７ａ３が設けられている。そして、この上蓋７ａの中央部内壁面には、円筒状の嵌合部７ａ４が下方に向って突設されている。一方、下蓋７ｂは、上蓋７ａの突出部７ａ１に嵌合固定され、固定台７ｃは、下蓋７ｂの内側面７ｂ１に一体形成されている円形状の台座７ｃ１と、この台座７ｃ１の中央部より突設されている円柱状の支持台７ｃ２と、を有している。この支持台７ｃ２は、下蓋７ｂが、上蓋７ａの突出部７ａ１に嵌合固定された際、上蓋７ａの嵌合部７ａ４に嵌合固定される。これにより、上蓋７ａと下蓋７ｂとが強固に固定されることとなる。
【００３６】
一方、排気弁７ｄは、天然ゴム等で形成され、図１１に示すように、断面矩形状に形成され、支持台７ｃ２に、両端部７ｄ１が一方向に可動可能なように固定されている。この排気弁７ｄの両端部７ｄ１は、上蓋７ａの内周壁面７ａ５に密接され、下蓋７ｂの上面に載置されている。しかして、このような排気弁７ｄの両端部７ｄ１に、本体部２の内側Ｉに吐出した空気Ａが流入すると、その空気Ａによって両端部７ｄ１が上方向（図示破線部分参照）に押し上げられ、もって、空気Ａが上蓋７ａの貫通孔７ａ３より外側Ｅに排出されることとなる。一方、上蓋７ａの貫通孔７ａ３より外側Ｅからの空気Ａが流入してきた際、排気弁７ｄの両端部７ｄ１の下方向への移動は、下蓋７ｂによって阻止されるため、上蓋７ａの貫通孔７ａ３より流入された空気Ａが本体部２の内側Ｉに流入しないこととなる。
【００３７】
かくして、上記のように構成される排出部７は、図１１に示すように、本体部２の内外を連通可能に貫通する貫通孔２ｈの径と下蓋７ｂの内径とが一致するように、接着剤Ｓを介して本体部２の外側面２ａに接着固定される。これにより、排出部７の内部と本体部２の内側Ｉとが連通され、もって、本体部２の内側Ｉに吐出した空気Ａが排出部７内に流入し、その流入した空気Ａが排気弁７ｄの両端部７ｄ１を上方向（図示破線部分参照）に押し上げ、上蓋７ａの貫通孔７ａ３より外側Ｅに排出されることとなる。なお、上蓋７ａの貫通孔７ａ３には、図１１に示すように、外側Ｅの空気Ａが流入するが、排気弁７ｄの両端部７ｄ１の下方向への移動は、下蓋７ｂによって阻止されるため、上蓋７ａの貫通孔７ａ３より流入された空気Ａが本体部２の内側Ｉに流入しないこととなる。これにより、排出部７は、本体部２の内側Ｉに吐出した空気Ａの排出のみ行うことができることとなる。
【００３８】
かくして、上記のように構成される防護服１を使用するにあたって、着用者１０は、図１及び図２に示すように、他端部５ｂが本体部２の外側Ｅのワンタッチジョイント４に接続されている吸入管５の一端部５ａをエアコンプレッサＣの供給口Ｃａに接続する。そして、開閉部２６のファスナ２６ａ（図７参照）を上下方向に移動して左右方向に開閉し、防護服１を着用する。次いで、防護服１を着用した着用者１０は、エアコンプレッサＣを駆動する。これにより、図３に示すように、本体部２の外側Ｅから吸入された空気Ａが、吸入管５、ワンタッチジョイント４及び吐出管６の順に圧縮移送され、図８に示すように、吐出管６の管状部６ａの管壁を貫通する複数の吐出孔６ｄから本体部２の内側Ｉに吐出されることとなる。そして、図３に示すように、吐出孔６ｄから本体部２の内側Ｉに吐出された空気Ａが（本体部２の外側Ｅから吸入された空気Ａが）、本体部２の内側Ｉの全体（着用者１０の頭部１１、胴部１２、腕部１３及び脚部１４の全体）にわたって供給され、本体部２の内側Ｉに吐出された空気Ａは、図１１に示すように、排出部７によって外側Ｅに排出されることとなる。
【００３９】
しかして、以上説明した本実施形態によれば、防護服１は、ワンタッチジョイント４が、本体部２の外側Ｅから空気Ａを吸入し、本体部２の内側Ｉに空気Ａを吐出するから、本体部２の外側Ｅから吸入された空気Ａによって本体部２の内側Ｉが冷却されることとなる。これにより、暑熱環境下において着用者１０が長時間の作業を行っても、本体部２の内側Ｉの高温状態が解消され、もって、着用者１０の熱中症の発症を予防することができると共に、着用者１０の作業環境を快適にすることができる。
【００４０】
また、本実施形態においては、図７に示すように、吐出管６を本体部２の内側Ｉの全体を冷却可能な着用者１０の背部１２ｃに面する位置に配置しているから、本体部２の内側Ｉの全体に空気Ａを吐出することができ、もって、本体部２の内側Ｉの冷却効果を向上させることができる。
【００４１】
さらに、本実施形態においては、図８に示すように、吐出管６の他端部６ｃ側の管状部６ａが横向き右回りの８字形状となるように湾曲して配置されているから、他端部６ｃ側の管状部６ａを長く延出することができる。これにより、空気Ａの吐出範囲を広くすることができ、もって、本体部２の内側Ｉの冷却効果をさらに向上させることができる。
【００４２】
またさらに、本実施形態においては、図８に示すように、吐出管６の管状部６ａに複数の吐出孔６ｄを設けているから、空気Ａを着用者１０の身体に向けて吐出するようにすることができ、もって、本体部２の内側Ｉの冷却効果をさらに向上させることができる。
【００４３】
そして、本実施形態においては、図１１に示すように、本体部２の内側Ｉに吐出された空気Ａを排出部７にて外側Ｅへ排出するようにしているから、冷却済みの空気Ａを外側Ｅへ排出することができ、もって、本体部２の内側Ｉの冷却効果をさらに向上させることができる。
【００４４】
なお、本実施形態においては、防護服１として、ＪＩＳ  Ｔ８１１５に準拠した浮遊固体粉塵防護用（タイプ５）の密閉服を例示したが、これに限らず、例えば、内部を気密に保持する（タイプ１）の気密服、内部を陽圧に保持する（タイプ２）陽圧服、液体防護用（タイプ３）の密閉服、スプレー防護用（タイプ４）の密閉服、ミスト防護用（タイプ６）の密閉服であってもよい。また、防護服１は、本体部２の形状、材質等は、着用者１０の頭部１１、胴部１２、腕部１３及び脚部１４の全体を密閉するように被覆するものであれば、例えば、放射線を遮蔽する放射線防護服であってもよい。
【００４５】
また、本実施形態において、防護服１は、吸入管５及び吐出管６を有するものを例示したが、これに限らず、吐出管６を有さないものであってもよい。
【００４６】
さらに、本実施形態において、空気Ａを圧縮する圧縮機として、エアコンプレッサＣを例示したが、これに限らず、例えば、ブロワ等の他の圧縮機や、ファン等の送風機を使用してもよい。
【００４７】
またさらに、本実施形態において、吐出管６は、一端部６ｂ側の管状部６ａが上方に向けて延びるように配置されるとともに、他端部６ｃ側の管状部６ａが正面視で横向き右回りの８字形状となるように湾曲して配置されているものを例示したが、これに限らず、例えば、他端部６ｃ側の管状部６ａが上方及び下方に向けて分岐して延びるように、側面視で横向きＴ字形状となるように配置されていてもよい。また、本実施形態において、吐出管６の吐出孔６ｄは、管状部６ａの延出方向の全体にわたって配置されているものを例示したが、他端部６ｃ側の管状部６ａのみに配置されていてもよい。さらに、本実施形態において、吐出管６の他端部６ｃは、閉塞されていたが、吐出管６の他端部６ｃを開放し、吐出管６の他端部６ｃから空気Ａを吐出するようにしてもよい。この場合には、吐出管６は、吐出孔６ｄを有さないものであってもよい。
【００４８】
一方、本実施形態において、防護服１は、外側補強板８ａ及び内側補強板８ｂを有するものを例示したが、これに限らず、例えば、外側補強板８ａのみを有するものや、内側補強板８ｂのみを有するものであってもよい。また、本実施形態において、補強布２ｃは、本体部２の外側面２ａに縫い付けられていたが、例えば、本体部２の内側面２ｂのみに縫い付けられるものや、本体部２の外側面２ａ及び本体部２の内側面２ｂの両方に縫い付けられるものであってもよい。
【００４９】
さらに、本実施形態においては、吸入管５の管状部分に、何も取り付けていない例を示したが、これに限らず、エアコンプレッサＣの供給口Ｃａに接続されている吸入管５の一端部５ａが誤って外れてしまった場合等、ダイオキシン、アスベスト等の有害汚染物質が含有された空気が吸入管５に流入する危険性があるため、その危険を防止すべく、吸入管５に逆止弁付レギュレータを取り付けるようにしても良い。
【００５０】
さらに、本実施形態においては、防護服１として、吸入管５と吐出管６を含む例を示したが、それに限らず、吸入管５と吐出管６は別構成でも良い。すなわち、吸入管５と吐出管６が予めワンタッチジョイント４に接続されていない防護服１でも良い。しかして、このような防護服１を着用するにあたっては、着用者１０が、当該防護服１を着用する前に、吸入管５の他端部５ｂを本体部２の外側Ｅのワンタッチジョイント４に接続し、吐出管６の一端部６ｂを本体部２の内側Ｉのワンタッチジョイント４に接続すると共に、吐出管６の他端部６ｃを横向き右回りの８字形状となるように湾曲させながら布ループ６ｅに挿通するようにすれば良い。なお、勿論、言うまでもないが、防護服１として、吸入管５又は吐出管６だけを別構成にしても良い。
【符号の説明】
【００５１】
１          防護服
２          本体部
２ａ        外側面
２ｂ        内側面
３          貫通孔
４          ワンタッチジョイント（接続部）
４ａ        筒状部
４ｂ        外側開口部（開口部）
４ｃ        内側開口部（開口部）
５          吸入管
５ａ        一端部
５ｂ        他端部
６          吐出管
７          排出部
８ａ        外側補強板（補強板）
８ｂ        内側補強板（補強板）
１０        着用者
１１        頭部
１２        胴部
１３        腕部
１４        脚部
Ａ          空気
Ｃ          エアコンプレッサ
Ｅ          本体部の外側
Ｉ          本体部の内側
【図１】
2017210696.tif 000003
【図２】
2017210696.tif 000004
【図３】
2017210696.tif 000005
【図４】
2017210696.tif 000006
【図５】
2017210696.tif 000007
【図６】
2017210696.tif 000008
【図７】
2017210696.tif 000009
【図８】
2017210696.tif 000010
【図９】
2017210696.tif 000011
【図１０】
2017210696.tif 000012
【図１１】
2017210696.tif 000013